(57)【要約】【課題】ＲＳＲＰの測定性能を改善するために、ＴＤＤ動作において隣接セルのアップリンク／ダウンリンク構成をそれらのセルの最初の検出時点で検出することを可能とする。【解決手段】セルラー電気通信システム内のユーザ機器（ＵＥ）は、検出された隣接セルから信号を受信することにより、当該隣接セルのアップリンク／ダウンリンク構成を検出することができる。受信信号の特性が検出され、この特性は、ブラインド検出プロセスにおいて、受信信号内の１つ又は複数のダウンリンク・スロットを識別するインジケータとして使用される。次に、識別された１つ又は複数のダウンリンク・スロット内の既知のパイロット信号を使用して受信信号の信号電力測定値を取得することが可能となる。ブラインド検出プロセスは、隣接セルの信号のスロットがダウンリンク・ユニキャスト・スロットであるのかそれともマルチキャスト・ブロードキャスト単一周波数ネットワーク・スロットであるのかを検出することもできる。【選択図】図８
2011512077.tif 000002
【特許請求の範囲】
【請求項１】
セルラー電気通信システム内のユーザ機器（ＵＥ）を操作する方法であって、
隣接セルから信号を受信するステップと、
前記受信信号の特性を検出するステップと、
検出された前記特性を、ブラインド検出プロセスにおいて、前記受信信号内の１つ又は複数のダウンリンク・スロットを識別するインジケータとして使用するステップと、
識別された前記１つ又は複数のダウンリンク・スロット内の既知のパイロット信号を使用して前記受信信号の信号電力測定値を取得するステップと、
を含む方法。
【請求項２】
検出された前記特性は、検出された周波数領域電力プロファイルであり、
前記ブラインド検出プロセスは、前記検出された周波数領域電力プロファイルと、公称ダウンリンク電力プロファイル及び公称アップリンク電力プロファイルのうちの少なくとも一方と、を比較するステップを含む、
請求項１に記載の方法。
【請求項３】
検出された前記特性は、検出された受信信号強度インジケータ（ＲＳＳＩ）であり、
前記ブラインド検出プロセスは、１つ又は複数の各ＯＦＤＭシンボルについて、前記検出されたＲＳＳＩと、公称ダウンリンクＲＳＳＩ電力プロファイル及び公称アップリンクＲＳＳＩ電力プロファイルのうちの少なくとも一方と、を比較するステップを含む、
請求項１に記載の方法。
【請求項４】
検出された前記特性は、ダウンリンク・サブフレーム内の基準シンボル・リソース要素として知られる、前記受信信号のリソース要素に関する検出された情報内容であり、各リソース要素は、サブキャリア周波数及び発生時間で定義され、
前記ブラインド検出プロセスは、前記検出された情報内容を１つ又は複数の既知の基準シンボルの情報内容と相関付けるステップを含む、
請求項１に記載の方法。
【請求項５】
検出された前記特性は、前記受信信号の受信に使用される検出された自動利得制御設定であり、
前記ブラインド検出プロセスは、前記検出された自動利得制御設定と、既知のダウンリンク・スロットの自動利得制御設定と、を比較するステップを含む、
請求項１に記載の方法。
【請求項６】
いくつかのダウンリンク・スロットはダウンリンク・ユニキャスト・スロットであり、いくつかのダウンリンク・スロットはマルチキャスト・ブロードキャスト単一周波数ネットワーク・スロットであるセルラー電気通信システム内のユーザ機器（ＵＥ）を操作する方法であって、
隣接セルから信号を受信するステップと、
前記受信信号の特性を検出するステップと、
検出された前記特性を、ブラインド検出プロセスにおいて、前記受信信号内の１つ又は複数のダウンリンク・ユニキャスト・スロットを識別するインジケータとして使用するステップと、
識別された前記１つ又は複数のダウンリンク・ユニキャスト・スロット内の既知のパイロット信号を使用して前記受信信号の信号電力測定値を取得するステップと、
を含む方法。
【請求項７】
検出された前記特性は、検出された周波数領域電力プロファイルであり、
前記ブラインド検出プロセスは、前記検出された周波数領域電力プロファイルと、公称ダウンリンク電力プロファイル及び公称アップリンク電力プロファイルのうちの少なくとも一方と、を比較するステップを含む、
請求項６に記載の方法。
【請求項８】
検出された前記特性は、検出された受信信号強度インジケータ（ＲＳＳＩ）であり、
前記ブラインド検出プロセスは、１つ又は複数の各ＯＦＤＭシンボルについて、前記検出されたＲＳＳＩと、公称ダウンリンクＲＳＳＩ電力プロファイル及び公称アップリンクＲＳＳＩ電力プロファイルのうちの少なくとも一方と、を比較するステップを含む、
請求項６に記載の方法。
【請求項９】
検出された前記特性は、ダウンリンク・サブフレーム内の基準シンボル・リソース要素として知られる、前記受信信号のリソース要素に関する検出された情報内容であり、各リソース要素は、サブキャリア周波数及び発生時間で定義され、
前記ブラインド検出プロセスは、前記検出された情報内容を１つ又は複数の既知の基準シンボルの情報内容と相関付けるステップを含む、
請求項６に記載の方法。
【請求項１０】
検出された前記特性は、前記受信信号の受信に使用される検出された自動利得制御設定であり、
前記ブラインド検出プロセスは、前記検出された自動利得制御設定と、既知のダウンリンク・スロットの自動利得制御設定と、を比較するステップを含む、
請求項６に記載の方法。
【請求項１１】
識別された前記１つ又は複数のダウンリンク・ユニキャスト・スロット内の既知のパイロット信号を使用して前記受信信号の信号電力測定値を取得する前記ステップは、
識別された前記１つ又は複数のダウンリンク・ユニキャスト・スロット内の既知のセル固有のパイロット信号と、１つ又は複数のマルチキャスト・ブロードキャスト単一周波数ネットワーク・スロット内の既知のセル固有のパイロット信号と、を使用して、前記受信信号の信号電力測定値を取得するステップ
を含む、請求項６に記載の方法。
【請求項１２】
セルラー電気通信システム内のユーザ機器（ＵＥ）であって、
隣接セルから信号を受信するように構成されたロジックと、
前記受信信号の特性を検出するように構成されたロジックと、
検出された前記特性を、ブラインド検出プロセスにおいて、前記受信信号内の１つ又は複数のダウンリンク・スロットを識別するインジケータとして使用するように構成されたロジックと、
識別された前記１つ又は複数のダウンリンク・スロット内の既知のパイロット信号を使用して前記受信信号の信号電力測定値を取得するように構成されたロジックと、
を備えるユーザ機器。
【請求項１３】
検出された前記特性は、検出された周波数領域電力プロファイルであり、
前記ブラインド検出プロセスは、前記検出された周波数領域電力プロファイルと、公称ダウンリンク電力プロファイル及び公称アップリンク電力プロファイルのうちの少なくとも一方と、を比較するステップを含む、
請求項１２に記載のユーザ機器。
【請求項１４】
検出された前記特性は、検出された受信信号強度インジケータ（ＲＳＳＩ）であり、
前記ブラインド検出プロセスは、１つ又は複数の各ＯＦＤＭシンボルについて、前記検出されたＲＳＳＩと、公称ダウンリンクＲＳＳＩ電力プロファイル及び公称アップリンクＲＳＳＩ電力プロファイルのうちの少なくとも一方と、を比較するステップを含む、
請求項１２に記載のユーザ機器。
【請求項１５】
検出された前記特性は、ダウンリンク・サブフレーム内の基準シンボル・リソース要素として知られる、前記受信信号のリソース要素に関する検出された情報内容であり、各リソース要素は、サブキャリア周波数及び発生時間で定義され、
前記ブラインド検出プロセスは、前記検出された情報内容を１つ又は複数の既知の基準シンボルの情報内容と相関付けるステップを含む、
請求項１２に記載のユーザ機器。
【請求項１６】
検出された前記特性は、前記受信信号の受信に使用される検出された自動利得制御設定であり、
前記ブラインド検出プロセスは、前記検出された自動利得制御設定と、既知のダウンリンク・スロットの自動利得制御設定と、を比較するステップを含む、
請求項１２に記載のユーザ機器。
【請求項１７】
いくつかのダウンリンク・スロットはダウンリンク・ユニキャスト・スロットであり、いくつかのダウンリンク・スロットはマルチキャスト・ブロードキャスト単一周波数ネットワーク・スロットであるセルラー電気通信システム内のユーザ機器（ＵＥ）であって、
隣接セルから信号を受信するように構成されたロジックと、
前記受信信号の特性を検出するように構成されたロジックと、
検出された前記特性を、ブラインド検出プロセスにおいて、前記受信信号内の１つ又は複数のダウンリンク・ユニキャスト・スロットを識別するインジケータとして使用するように構成されたロジックと、
識別された前記１つ又は複数のダウンリンク・ユニキャスト・スロット内の既知のパイロット信号を使用して前記受信信号の信号電力測定値を取得するように構成されたロジックと、
を備えるユーザ機器。
【請求項１８】
検出された前記特性は、検出された周波数領域電力プロファイルであり、
前記ブラインド検出プロセスは、前記検出された周波数領域電力プロファイルと、公称ダウンリンク電力プロファイル及び公称アップリンク電力プロファイルのうちの少なくとも一方と、を比較するステップを含む、
請求項１７に記載のユーザ機器。
【請求項１９】
検出された前記特性は、検出された受信信号強度インジケータ（ＲＳＳＩ）であり、
前記ブラインド検出プロセスは、１つ又は複数の各ＯＦＤＭシンボルについて、前記検出されたＲＳＳＩと、公称ダウンリンクＲＳＳＩ電力プロファイル及び公称アップリンクＲＳＳＩ電力プロファイルのうちの少なくとも一方と、を比較するステップを含む、
請求項１７に記載のユーザ機器。
【請求項２０】
検出された前記特性は、ダウンリンク・サブフレーム内の基準シンボル・リソース要素として知られる、前記受信信号のリソース要素に関する検出された情報内容であり、各リソース要素は、サブキャリア周波数及び発生時間で定義され、
前記ブラインド検出プロセスは、前記検出された情報内容を１つ又は複数の既知の基準シンボルの情報内容と相関付けるステップを含む、
請求項１７に記載のユーザ機器。
【請求項２１】
検出された前記特性は、前記受信信号の受信に使用される検出された自動利得制御設定であり、
前記ブラインド検出プロセスは、前記検出された自動利得制御設定と、既知のダウンリンク・スロットの自動利得制御設定と、を比較するステップを含む、
請求項１７に記載のユーザ機器。
【請求項２２】
識別された前記１つ又は複数のダウンリンク・ユニキャスト・スロット内の既知のパイロット信号を使用して前記受信信号の信号電力測定値を取得するように構成された前記ロジックは、
識別された前記１つ又は複数のダウンリンク・ユニキャスト・スロット内の既知のセル固有のパイロット信号と、１つ又は複数のマルチキャスト・ブロードキャスト単一周波数ネットワーク・スロット内の既知のセル固有のパイロット信号と、を使用して、前記受信信号の信号電力測定値を取得するように構成されたロジック
を含む、請求項１７に記載のユーザ機器。
【発明の詳細な説明】
【技術分野】
【０００１】
本発明は、セルラー電気通信に関し、より詳細には、周波数分割多重（ＦＤＤ）伝送と時分割多重（ＴＤＤ）伝送の両方を利用したセルラー電気通信に関し、更に詳細には、とりわけ、隣接セルの伝送がアップリンク伝送であるのかそれともダウンリンク伝送であるのかをユーザ機器（ＵＥ）が判定することを可能にする方法及び装置に関する。
【背景技術】
【０００２】
近年発展を続けるモバイル通信用グローバル・システム（ＧＳＭ（登録商標））や広帯域符号分割多元接続（ＷＣＤＭＡ）のような移動セルラー規格では、直交周波数分割多重（ＯＦＤＭ）のような新しい伝送技法が生み出される可能性が高い。更に、既存のセルラー・システムから高容量／高データ・レート・システムへの円滑な移行を既存の無線スペクトルで実現するために、新しいシステムは、様々なサイズの帯域幅が利用可能である必要がある。このような柔軟性を有する新しいセルラー・システムの提案として、第３世代（３Ｇ）ＷＣＤＭＡ規格の進化版と見なすことが可能な３Ｇロング・ターム・エボリューション（３Ｇ  ＬＴＥ）がある。このシステムは、ＯＦＤＭをダウンリンクの多元接続技法（ＯＦＤＭＡと呼ばれる）として使用し、１．４ＭＨｚ〜２０ＭＨｚの範囲の帯域幅で動作することが可能となる。更に、最大帯域幅では１００Ｍｂ／ｓ超のデータ・レートがサポートされることになる。一方、３Ｇ  ＬＴＥは、高レート・サービスだけでなく音声のような低レート・サービスでも使用されることが予想される。３Ｇ  ＬＴＥは伝送制御プロトコル／インターネット・プロトコル（ＴＣＰ／ＩＰ）向けに設計されているため、ボイス・オーバＩＰ（ＶｏＩＰ）は、音声搬送サービスとなるはずである。
【０００３】
単一のユーザによる受信が企図されるシステムからの送信は、「ユニキャスト」動作モードと呼ばれる動作モードで行われる。この場合、情報は、単一の送信機から宛先となる単一の受信機に通信される。一方、ＬＴＥシステムは、マルチメディア・ブロードキャスト／マルチキャスト・サービス（ＭＢＭＳ）と呼ばれるブロードキャスト／マルチキャスト・サービスも追加的にサポートするように設計されている。
【０００４】
ブロードキャスト／マルチキャスト・サービスを移動通信システムで提供することにより、多くの場合多数のセルに対応する広いエリアに分散する多数の移動端末に同じ情報を同時に提供することが可能となる。図１は、いくつかのセル１０３を含むブロードキャスト・エリア１０１を示すことによってこの点を例示する。ブロードキャスト／マルチキャスト情報は、ＴＶニュース・クリップ、局所的な気象条件に関する情報、株式市場情報、あるいは所与の時点で多数のユーザが関心を示す可能性がある他の任意の種類の情報である可能性がある。
【０００５】
セル内の複数の移動端末に同じ情報を提供すべきときは、その情報を各移動端末に対する個別の送信（即ち、複数のユニキャスト送信）を利用して提供する代わりに、セル全体をカバーすると同時に関連するすべての移動端末によって受信される単一の「ブロードキャスト」無線送信として提供することが有益であることが多い。
【０００６】
セル内のブロードキャスト送信は、最悪条件下でも動作するように寸法設定する必要があるので（例えば他の移動端末が送信機アンテナに非常に近い可能性があっても、セル境界の移動端末に到達できるようにする必要があるので）、所与のブロードキャスト・サービス・データ・レートを達成するのに必要なリソース（基地局送信電力）の観点で相対的にコスト高となる可能性がある。一方、セル内の受信不良エリア（例えばセル・エッジ）で達成可能な信号対雑音比の制限を考慮に入れると、達成可能なブロードキャスト・データ・レートは、特に大きいセルが関与する場合はかなり制限される可能性がある。そこで、ブロードキャスト・データ・レートを高める１つの手法として、セル・サイズを縮小することによってセルのエッジにおける受信信号の電力を増加させることがある。しかしながら、このような手法は、一定のエリアをカバーするのに必要なセル数を増加させ、したがって配備費用の点から望ましくないことは明らかである。
【０００７】
一方、上述したように、移動通信ネットワークでは典型的に、同一の情報が多数のセルにわたって提供されるとき、ブロードキャスト／マルチキャスト・サービスが提供される。このような場合、セル・エッジの移動端末が複数のセルを起点とする複数のブロードキャスト送信の受信電力をブロードキャスト・データの検出／復号時に利用することができれば、所望のブロードキャスト・データ・レートを達成するのに必要なリソース（例えば基地局送信電力）を大幅に低減することが可能となる。
【０００８】
これを実現する１つの手法は、様々なセルからのブロードキャスト送信が完全に同一であり、相互に時間的整合性をもって送信されることを保証することである。これらの条件下では、ユーザ機器（ＵＥ）（例えば移動端末）によって受信される複数のセルからの送信は、厳しいマルチパス伝搬状況でも単一の送信対象に見える。このような複数のセルからの時間的整合性を有する同一の信号の送信は、特にブロードキャスト／マルチキャスト・サービスを提供するのに利用される場合は、単一周波数ネットワーク（Single-Frequency-Network：ＳＦＮ）動作、又はマルチキャスト・ブロードキャスト単一周波数ネットワーク（Multicast-Broadcast Single Frequency Network：ＭＢＳＦＮ）動作と呼ばれることがある。
【０００９】
このような時間的整合性を有する同一の信号が複数のセルから送信された場合、ＵＥは、それ自体の隣接セルから「セル間干渉」を受けることはなくなるが、その代わりに時間分散による信号劣化を経験する。ブロードキャスト送信がこのような「時間分散」の主要部分をカバーするサイクリック・プレフィックスを用いるＯＦＤＭに基づく場合、達成可能なブロードキャスト・データ・レートを制限するのは雑音だけとなり、このことは特に小さいセルほど非常に高いブロードキャスト・データ・レートが達成され得ることを意味する。更に、ＯＦＤＭ受信機は、ソフト・コンバインすべきセルを明示的に特定する必要がない。その代わりに、送信がサイクリック・プレフィックスの範囲に含まれるすべてのセルが、ＵＥの受信信号の電力に「自動的に」寄与することになる。
【００１０】
ユニキャスト及びマルチキャストの各モードでは、ＬＴＥ物理層のダウンリンク伝送はＯＦＤＭに基づく。したがって、基本的なＬＴＥダウンリンク物理リソースは、いわゆる「リソース要素（resource element）」がそれぞれ１つのＯＦＤＭシンボル間隔中の１つのＯＦＤＭサブキャリアに対応する、図２に示すような時間／周波数グリッドとして示すことができる。
【００１１】
図３に示されるように、周波数領域のダウンリンク・サブキャリアは、それぞれ１８０ｋＨｚの公称リソース・ブロック帯域幅に対応する０．５ｍｓのスロット継続時間を有する１２個の連続するサブキャリアをそれぞれ含むリソース・ブロック（ＯＦＤＭシンボル数は、ノーマル・サイクリック・プレフィックスを使用する場合は７（図示）、拡張サイクリック・プレフィックスを使用する場合は６）にグループ化される。
【００１２】
したがって、ＤＣサブキャリアを含めたダウンリンク・サブキャリアの総数は、ＮＣ＝１２・ＮＲＢ＋１と等しくなる。ここで、ＮＲＢは、１２・ＮＲＢ個の使用可能なサブキャリアから形成することが可能なリソース・ブロックの総数である。実際には、ＬＴＥ物理層の仕様を用いると、約１．２５ＭＨｚから最大２０ＭＨｚの範囲の公称伝送帯域幅に対応するＮＲＢ−ｍｉｎ＝６以上の任意の数のリソース・ブロックをダウンリンク・キャリアに含めることが可能となる。これにより、少なくとも物理層仕様の観点では、ＬＴＥ帯域幅／スペクトルの非常に高い柔軟性を得ることが可能となる。
【００１３】
図４ａ及び図４ｂは、ＬＴＥダウンリンク伝送の時間領域構造を示す。１ｍｓのサブフレーム４００はそれぞれ、長さＴｓｌｏｔ＝０．５ｍｓ（＝１５３６０・ＴＳ：各スロットは１５，３６０の時間単位Ｔｓを含む）の２つのスロットを含む。各スロットは、いくつかのＯＦＤＭシンボルを含む。
【００１４】
サブキャリア間隔Δｆ＝１５ｋＨｚは、有効シンボル時間Ｔｕ＝１／Δｆ≒６６．７μｓ（２０４８・ＴＳ）に対応する。この場合、全体のＯＦＤＭシンボル時間は、有効シンボル時間とサイクリック・プレフィックス長ＴＣＰの和となる。２つのサイクリック・プレフィックス長が定義される。図４ａは、１スロットにつき７つのＯＦＤＭシンボルを通信することができるノーマル・サイクリック・プレフィックス長を示す。ノーマル・サイクリック・プレフィックスの長さＴＣＰは、スロット内の１番目のＯＦＤＭシンボルについては１６０・ＴＳ≒５．１μｓ、残りのＯＦＤＭシンボルについては１４４・ＴＳ≒４．７μｓとなる。
【００１５】
図４ｂは、それ自体のサイズが長い故に１スロットにつき６つのＯＦＤＭシンボルしか通信することができない拡張サイクリック・プレフィックスを示す。拡張サイクリック・プレフィックスの長さＴＣＰ−ｅは、５１２・ＴＳ≒１６．７μｓである。
【００１６】
ノーマル・サイクリック・プレフィックスの場合は、スロット内の１番目のＯＦＤＭシンボルのサイクリック・プレフィックス長が残りのＯＦＤＭシンボルのそれよりもある程度大きくなることが分かるだろう。その理由は、スロット毎の時間単位数ＴＳ（１５３６０）が７で等分できない故に、０．５ｍｓのスロット全体を単純に埋めるためである。
【００１７】
リソース・ブロックのダウンリンク時間領域構造（即ち、０．５ｍｓのスロット中に１２個のサブキャリアを使用する）を考慮に入れると、各リソース・ブロックは、ノーマル・サイクリック・プレフィックスの場合（図３）は１２・７＝８４個のリソース要素を含み、拡張サイクリック・プレフィックスの場合（図示せず）は１２・６＝７２個のリソース要素を含むことが分かるだろう。
【００１８】
端末の動作に関する別の重要な側面は、セル探索、同期化、及び信号電力測定手順を含むモビリティである。セル探索は、端末が潜在的に接続可能なセルを発見する手順である。セル探索手順の一環として、端末は、セルのＩＤを取得し、識別したセルのフレーム・タイミングを推定する。セル探索手順は、システムにアクセスするのに必要な残りのパラメータが収容されたシステム情報をブロードキャスト・チャネル上で受信するのに不可欠なパラメータの推定値も提供する。
【００１９】
セル計画の複雑化を回避するために、物理層セルＩＤの数は十分大きくする必要がある。例えば、ＬＴＥ規格によるシステムは、５０４通りのセルＩＤをサポートする。これらの５０４通りのセルＩＤは、それぞれ３つのＩＤを含む１６８個のグループに分割される。
【００２０】
セル探索の複雑さを軽減するために、ＬＴＥのセル探索は、典型的にはＷＣＤＭＡの３ステップ・セル探索手順に類似するプロセスを構成するいくつかのステップで実行される。この手順において端末を支援するために、ＬＴＥは、ダウンリンク上で１次同期信号及び２次同期信号を提供する。この様子は、ＬＴＥシステムの無線インターフェースの構造を例示する図５に示されている。ＬＴＥシステムの物理層は、１０ｍｓの継続時間を有する一般無線フレーム（generic radio frame）５００を含む。図５は、ＬＴＥ周波数分割多重（Frequency Division Duplex：ＦＤＤ）システムにおけるそのような１つのフレーム５００を示す。各フレームは、（０〜１９の番号が付された）２０個のスロットを有し、各スロットは、通常７つのＯＦＤＭシンボルが含まれる０．５ｍｓの継続時間を有する。サブフレームは、２つの隣接スロットで構成され、したがって通常１４個のＯＦＤＭシンボルが含まれる１ｍｓの継続時間を有する。１次同期信号及び２次同期信号は、各サブフレーム０及び５の１番目のスロットにおける最後の２つのＯＦＤＭシンボルに挿入される固有のシーケンスである。同期信号に加えて、セル探索手順の動作の一部では、送信信号内の既知の位置で送信される基準信号も利用される。
【００２１】
更に、ＬＴＥは、ＦＤＤモードと時分割多重（ＴＤＤ）モードの両方で動作可能となるように定義される。１つのキャリア内では、１フレームの様々なサブフレームがアップリンク伝送又はダウンリンク伝送に使用され得る。図６ａは、一方がアップリンク伝送用、他方がダウンリンク伝送用となる無線周波数スペクトル対がユーザに割り振られるＦＤＤ動作の場合を示す。この動作では、キャリア内のすべてのサブフレームがダウンリンク伝送（ダウンリンク・キャリア）又はアップリンク伝送（アップリンク・キャリア）に使用される。
【００２２】
一方、図６ｂは、ＴＤＤ動作の場合を示す。この動作では、各フレームの１番目と６番目のサブフレーム（即ちサブフレーム０及び５）は、常にダウンリンク伝送用に割り当てられ、残りのサブフレームは、ダウンリンク伝送又はアップリンク伝送のいずれかに使用されるように柔軟に割り当てられ得ることが分かるだろう。１番目と６番目のサブフレームが事前定義によってダウンリンク伝送用に割り当てられる理由は、これらのサブフレームがＬＴＥ同期信号を含むためである。同期信号は、各セルのダウンリンク上で伝送され、先に説明したように、初期のセル探索だけでなく隣接セル探索にも使用されることが企図される。
【００２３】
図６ｂは、ＴＤＤ動作中にアップリンク及びダウンリンク・サブフレームを割り当てる際にＬＴＥによってもたらされる柔軟性も示す。この柔軟性により、ダウンリンク伝送用及びアップリンク伝送用にそれぞれ割り当てられる無線リソース（サブフレーム）の量の様々な非対称性が許容される。例えば、ほぼ対照的なキャリア６０１を作成することも、ダウンリンク・フォーカスの（即ち、アップリンク・サブフレームよりもダウンリンク・サブフレームの方が多い）非対称的なキャリア６０３を作成することも、アップリンク・フォーカスの（即ち、ダウンリンク・サブフレームよりもアップリンク・サブフレームの方が多い）非対称的なキャリア６０５を作成することも可能となる。
【００２４】
セル間のダウンリンク伝送とアップリンク伝送の間の深刻な干渉を回避するために、サブフレーム割当ては隣接セル間で同じにする必要があるので、ダウンリンク／アップリンク非対称性を例えばフレーム単位で動的に変更することはできない。しかしながら、例えばダウンリンク・トラフィック／アップリンク・トラフィックの非対称性の差やばらつき等、様々なトラフィック特性の整合をとるために、ダウンリンク／アップリンク非対称性をより緩やかに変更することは可能である。
【００２５】
ＬＴＥでは、基準信号受信電力（Reference Signal Received Power）ＲＳＲＰがハンドオーバ測定に使用される。つまり、移動端末は、サービング・セルに関するＲＳＲＰだけでなく、セル探索で検出された隣接セルに関するＲＳＲＰも測定する必要がある。ＲＳＲＰは、ＮｏｄｅＢの送信（即ちダウンリンク）基準シンボル又は信号（ＲＳ）の平均信号電力として定義される。ＲＳは、場合によってはＮｏｄｅＢの１つ、２つ、又は４つの各送信アンテナから、時間／周波数グリッド内の一定のリソース要素（ＲＥ）に関して送信される。例えば、ＬＴＥでは、リソース要素は、（ロングＣＰが使用されるのかそれともショートＣＰが使用されるのかに応じて６つ又は７つのＯＦＤＭシンボルを含む）各スロット内のシンボル番号３（ロングＣＰが使用される場合）又はシンボル番号４（ショートＣＰが使用される場合）において、ＯＦＤＭシンボル番号０の５つ置きのサブキャリア上で送信される。更に、シンボル番号３／４のＲＳは、１番目のＯＦＤＭシンボルのＲＳに対して３サブキャリア分ずらされる。
【００２６】
実際の信号状態を表すＲＳＲＰ測定値に到達するために、ＵＥは、いくつかのスロット（及びサブフレーム）にわたって取得されたいくつかの測定値の平均をとる必要がある。ＦＤＤ動作では、ダウンリンク伝送及びアップリンク伝送が別々のキャリア上で行われ、それ故ダウンリンク・キャリアのすべてのサブフレームをＲＳＲＰ推定値の生成に使用することができるため、上記の処理を容易に行うことができる。
【００２７】
しかしながら、ＴＤＤ動作ではアップリンク伝送とダウンリンク伝送で同じキャリア周波数が共用され、したがって必ずしもすべてのサブフレームを使用することができない可能性がある。それだけに留まらず、隣接セルのアップリンク／ダウンリンク構成は、一般に、隣接セルに応じて異なる可能性がある。新たに検出されたセル（即ち、直前のセル探索手順で潜在的なハンドオーバ候補として検出されたセル）のアップリンク／ダウンリンク構成は、検出時点ではＵＥに知らされていない。従来、この情報は、当該セルへのハンドオーバが行われる時点で初めてＵＥに知らされる。
【００２８】
したがって、ＵＥは従来、ダウンリンク伝送と関連付けられることが保証されたサブフレーム（例えば図６ｂに示されるＬＴＥの同期サブフレーム０及び５）内で送信されるＲＳのみを利用する必要があった。これらのスロットのみに由来するＲＳに制限されることにより、ＲＳＲＰ（又はこれに類するもの）の測定値に雑音が含まれることになり、したがって有用な値を生成するのに必要となる平均時間が長くなり、それによってハンドオーバ手順に遅延が生じることになる。
【００２９】
一方、典型的なＴＤＤアップリンク／ダウンリンク構成では、同期サブフレームのみの場合と比べてダウンリンク・サブフレームの数が多くなる。ＬＴＥのスーパー・フレームは、１ｍｓの１０個のサブフレームに分割され、そのうち２つのサブフレームは、ｓｙｎｃサブフレーム（例えば図５参照）となる。典型的には、アップリンク／ダウンリンク構成は、４０／６０あるいは３０／７０であり、したがって、同期サブフレームにＲＳだけが含まれる場合（２０／８０のダウンリンク／アップリンク割り振りに対応）と比べて、利用可能なダウンリンク・サブフレームの数（したがってＲＳの数）は、実際にはもっと多くなる。
【発明の概要】
【発明が解決しようとする課題】
【００３０】
したがって、ＲＳＲＰ（又はこれに類するもの）の測定性能を改善するために、ＴＤＤ動作において隣接セルのアップリンク／ダウンリンク構成をそれらのセルの最初の検出時点で検出することが可能な方法及び装置が必要とされている。
【課題を解決するための手段】
【００３１】
本明細書で使用される「備える／含む（comprises／comprising）」という用語は、本明細書で言及される特徴、整数、ステップ、又は構成要素の存在を示すものであって、それらの用語の使用により、１つ又は複数の他の特徴、整数、ステップ、構成要素、又はそれらで構成される群の存在又は追加が排除されるわけではないことを強調しておく。
【００３２】
本発明の一態様によれば、上記及び他の目的は、セルラー電気通信システム内のユーザ機器（ＵＥ）を操作する方法及び装置によって達成される。かかる操作は、隣接セルから信号を受信するステップと、前記受信信号の特性を検出するステップと、を含む。検出された前記特性は、ブラインド検出プロセスにおいて、前記受信信号内の１つ又は複数のダウンリンク・スロットを識別するインジケータとして使用される。次に、識別された前記１つ又は複数のダウンリンク・スロット内の既知のパイロット信号を使用して前記受信信号の信号電力測定値が取得される。
【００３３】
いくつかの実施形態では、検出された前記特性は、検出された周波数領域電力プロファイルであり、前記ブラインド検出プロセスは、前記検出された周波数領域電力プロファイルと、公称ダウンリンク電力プロファイル及び公称アップリンク電力プロファイルのうちの少なくとも一方と、を比較するステップを含む。
【００３４】
代替実施形態では、検出された前記特性は、検出された受信信号強度インジケータ（received signal strength indicator：ＲＳＳＩ）であり、前記ブラインド検出プロセスは、１つ又は複数の各ＯＦＤＭシンボルについて、前記検出されたＲＳＳＩと、公称ダウンリンクＲＳＳＩ電力プロファイル及び公称アップリンクＲＳＳＩ電力プロファイルのうちの少なくとも一方と、を比較するステップを含む。
【００３５】
他の代替実施形態では、検出された前記特性は、ダウンリンク・サブフレーム内の基準シンボル・リソース要素として知られる、前記受信信号のリソース要素に関する検出された情報内容であり、各リソース要素は、サブキャリア周波数及び発生時間で定義され、前記ブラインド検出プロセスは、前記検出された情報内容を１つ又は複数の既知の基準シンボルの情報内容と相関付けるステップを含む。
【００３６】
また他の代替実施形態では、検出された前記特性は、前記受信信号の受信に使用される検出された自動利得制御設定であり、前記ブラインド検出プロセスは、前記検出された自動利得制御設定と、既知のダウンリンク・スロットの自動利得制御設定と、を比較するステップを含む。
【００３７】
上記の様々なブラインド検出プロセスは、隣接セルの信号のスロットがダウンリンク・ユニキャスト・スロットであるのかそれともマルチキャスト・ブロードキャスト単一周波数ネットワーク・スロットであるのかを識別するのにも有用である。この知識により、ユーザ機器は、識別された前記１つ又は複数のダウンリンク・ユニキャスト・スロット内の既知のパイロット信号を使用して前記受信信号の信号電力測定値を取得することが可能となる。必ずしもすべてではないが、一部の実施形態では、前記ユーザ機器は追加的に、マルチキャスト・ブロードキャスト単一周波数ネットワーク・スロット内のセル固有のパイロット信号を使用して前記受信信号の前記信号電力測定値を取得することもできる。
【００３８】
本発明の目的及び利点は、以下の詳細な説明を添付図面と併せて読めば理解されるはずである。
【図面の簡単な説明】
【００３９】
【図１】いくつかの電気通信システム・セルを含むブロードキャスト・エリアを示す図である。
【図２】１つのＯＦＤＭシンボル間隔中の１つのＯＦＤＭサブキャリアに対応する時間／周波数グリッド、例示的なＬＴＥダウンリンク物理リソース（「リソース要素」）を示す図である。
【図３】周波数領域のダウンリンク・サブキャリアがどのようにリソース・ブロックにグループ化されるかを示す時間／周波数グリッドの図である。
【図４ａ】１スロットにつき７つのＯＦＤＭシンボルを通信することができるいわゆる「ノーマル」・サイクリック・プレフィックス長を示す図である。
【図４ｂ】それ自体のサイズが長い故に１スロットにつき６つのＯＦＤＭシンボルしか通信することができない拡張サイクリック・プレフィックスを示す図である。
【図５】ＬＴＥシステムの無線インターフェースの構造を示す図である。
【図６ａ】一方がアップリンク伝送用、他方がダウンリンク伝送用となる無線周波数スペクトル対がユーザに割り振られるＦＤＤ動作の場合の信号タイミング図である。
【図６ｂ】ＴＤＤ動作の場合の信号タイミング図である。
【図７ａ】ＬＴＥ移動通信システムにおける例示的なダウンリンク・サブフレームの信号タイミング図である。
【図７ｂ】図７ａの２つのスロットのダウンリンク平均電力を時間の関数としてプロットしたグラフである。
【図７ｃ】例示的なＬＴＥシステムのアップリンク・サブフレームにおける２つのアップリンク・データ伝送を示す図である。
【図７ｄ】図７ｃに示される期間の平均電力を時間の関数としてプロットしたグラフである。
【図８】ある点では、本発明の諸実施形態に係るＵＥにおいて実行される例示的なステップ／プロセスを示すフローチャートである。
【図９】本発明の様々な態様を実施するように適合された例示的なＵＥのブロック図である。
【図１０】ある点では、受信信号の周波数領域電力プロファイルがブラインド検出プロセスで利用される、諸実施形態に係るＵＥにおいて実行されるステップ／プロセスを示すフローチャートである。
【図１１】ある点では、基準シンボルを移送することが可能なリソース要素の内容がブラインド検出プロセスで利用される、諸実施形態に係るＵＥにおいて実行されるステップ／プロセスを示すフローチャートである。
【図１２】ある点では、受信機のＡＧＣ設定がブラインド検出プロセスで利用される、諸実施形態に係るＵＥにおいて実行されるステップ／プロセスを示すフローチャートである。
【図１３】２つの連続するスロット中にアンテナ・ポート上で送信される例示的なＭＢＳＦＮリソース要素を示す図である。
【図１４】ある点では、諸実施形態に係るＵＥが隣接セルの信号のスロットがダウンリンク・ユニキャスト・スロットであるのかそれともＭＢＳＦＮスロットであるのかを検出することが可能となる、諸実施形態に係るＵＥにおいて実行される例示的なステップ／プロセスを示すフローチャートである。
【発明を実施するための形態】
【００４０】
以下では添付図面を参照して本発明の様々な特徴について説明する。各図面において同様の部分は同じ参照文字で識別される。
【００４１】
以下、本発明の様々な態様をいくつかの例示的な実施形態に関してより詳細に説明する。本発明の理解を容易にするために、本発明の多くの態様は、プログラムされた命令を実行することが可能なコンピュータ・システム又は他のハードウェアの要素によって実行されるアクション・シーケンスの観点から説明する。各実施形態では、特殊回路（例えば、特殊機能を実行するように相互接続されたディスクリート・ロジック・ゲート）、１つ又は複数のプロセッサによって実行されるプログラム命令、あるいはその組合せによって様々なアクションが実行され得ることが理解されるだろう。更に、本発明は追加的に、本明細書に記載される技法をプロセッサに実行させるのに適したコンピュータ命令セットが収容される固体メモリ、磁気ディスク、光ディスクのような任意の形のコンピュータ読み取り可能なキャリア内に実装されるものと見なすこともできる。したがって、本発明の様々な態様は多種多様な形態で実施される可能性があり、かかる形態はすべて本発明の範囲に含まれることが企図される。本発明の諸種の各態様に関して、そのような形態の実施形態は、本明細書に記載されるアクションを実行する「ように構成されたロジック」と呼ばれることも、本明細書に記載されるアクションを実行する「ロジック」と呼ばれることもある。
【００４２】
本発明に係る諸実施形態の一態様では、検出された隣接セルのアップリンク／ダウンリンク構成の検出にブラインド検出プロセスが使用される。様々な実施形態において、アップリンク伝送技法がダウンリンク伝送技法と異なるという知識が利用される。例えば、ＬＴＥシステムでは、アップリンク伝送は単一キャリアＦＤＭＡ（ＳＣ‐ＦＤＭＡ）を利用するが、ダウンリンク伝送はＯＦＤＭを利用する。つまり、アップリンク・スロット（及びサブフレーム）に関連する信号は、ダウンリンク・スロット（及びサブフレーム）に関連する信号と異なることになる。それ故、ＵＥは、例えば受信信号の（サブキャリア及びＯＦＤＭシンボル毎の）周波数領域電力プロファイルをダウンリンク伝送の典型的な周波数領域電力プロファイル・パターンと相関付けることによってアップリンク伝送とダウンリンク伝送を識別し、それにより、スロット／サブフレームがアップリンクに該当するのかそれともダウンリンクに該当するのかを検出することができる。
【００４３】
一代替実施形態では、（サブフレーム全体の）ＯＦＤＭシンボル毎の平均電力プロファイルとの相関付けだけが行われる。
【００４４】
別の実施形態では、ＤＬサブフレームを検出するためにダウンリンクＲＳの潜在的な位置との相関付けを行うことができる。また別の実施形態では、フロント・エンド受信機のＡＧＣ設定をＵＬサブフレーム及びＤＬサブフレームの検出に使用することができる。
【００４５】
検出されたセルのアップリンク／ダウンリンク構成が上記のブラインド検出技法のいずれかによって検出されると、ＵＥは、より多くのダウンリンクＲＳをセル信号電力（例えばＲＳＲＰ）の推定に利用することが可能となる。
【００４６】
他の代替案では、ブラインド検出技法によってＤＬサブフレーム又はＭＢＳＦＮサブフレームが検出されたかどうかを判定することもできる。
【００４７】
以下では上記及び他の態様について詳述する。
【００４８】
図７ａは、ＬＴＥ移動通信システムにおける例示的なダウンリンク・サブフレーム（１ｍｓを２つのダウンリンク・スロットに分割）の信号タイミング図である。このサブフレームには、送信アンテナ１（図中の「Ｒ」）に関するＲＳの移送に使用されるＲＥと、潜在的な送信アンテナ２（図中の「Ｓ」）に関連するＲＳの移送に使用されるＲＥと、が含まれる。図７ａには、制御情報（図中の「Ｃ」）が送信される位置も示される。制御情報は各サブフレームの最初の１つ、２つ、又は３つのＯＦＤＭシンボルのみで通信されるが、ＲＳは両方のスロットに存在することが分かるだろう。残りのＲＥは、大部分がデータ伝送に割り振られる。
【００４９】
典型的には、セルは完全にはロードされない。したがって、空でないデータＲＥはごく一部だけとなる。この点を例示するために、図７ａの斜線で示される第１のＲＥグループ７０１は、第１のデータ伝送を表し、斜線で示される第２のＲＥグループ７０３は、第２のデータ伝送を表す。残りのデータＲＥは、本例では使用しない。
【００５０】
図７ｂは、図７ａの２つのスロットのダウンリンク平均電力を時間の関数としてプロットしたグラフである。ＲＳならびに制御シグナリング部分は常に伝送されるので、受信信号強度インジケータ（ＲＳＳＩ）は、ＯＦＤＭシンボルに応じて異なる。典型的には、ＯＦＤＭシンボル０及び１（制御情報ならびにＲＳが収容される）は、最も高い電力を有し、ＲＳが収容されるが制御情報が収容されないＯＦＤＭシンボルは、やや低い平均電力を有し、平均的にデータ情報のみを有するＯＦＤＭシンボルは、最も低い電力を有する。
【００５１】
この状況は、異なる変調技術が使用されるアップリンク方向では異なる。例えば、ＬＴＥシステムでは、アップリンク伝送でＳＣ‐ＦＤＭＡが使用される。物理アップリンク共用チャネル（ＰＵＳＣＨ）及び物理アップリンク制御チャネル（ＰＵＣＣＨ）上で送信されるデータ及び制御は、それぞれ別々のリソース・ブロック上で送信される。したがって、データ伝送を行うＵＥは、少なくとも１サブフレーム（即ち２スロット）に対応する量の時間にわたって、割り振られた周波数を継続的に利用する。図７ｃは、この点を例示する２つのデータ伝送７０５及び７０７を示す。制御情報（例えばダウンリンク・ブロックのＡＣＫ／ＮＡＣＫ）のみを送信するＵＥは、システムＢＷの端部の連続的な時間／周波数ブロックを有する。図７ｃは、この点を例示する２つの制御シグナリング伝送７０９及び７１１を示す。
【００５２】
図７ｄは、図７ｃに示される期間の平均電力を時間の関数としてプロットしたグラフである。伝送の連続的な性質により、周波数領域電力プロファイルは、サブフレーム全体により均一に分布する。本発明に係るいくつかの実施形態の一態様では、この特性を使用して、ＵＥは、検出されたセルの受信信号がダウンリンク・サブフレームに対応するのかそれともアップリンク・サブフレームに対応するのかを検出することが可能となる。
【００５３】
図８は、ある点では、本発明の諸実施形態に係るＵＥにおいて実行される例示的なステップ／プロセスを示すフローチャートである。別の点では、図８は、本明細書に記載される様々な機能を実行するように構成されたロジックを備えるＵＥ８００のブロック図と見なすこともできる。ＵＥはまず、サービング・セルに接続され、ＴＤＤ隣接セルの探索を行うものと仮定する。隣接セルは、周波数内（intra-frequency）（即ち、サービング・セルと同じキャリア周波数）で動作する可能性も、周波数間（inter-frequency）（即ち、サービング・セルによって使用されるキャリア周波数と異なるキャリア周波数）で動作する可能性もある。周波数間動作の場合は、ＵＥは、典型的にはサービング・セルのデータ受信が中断されている時間インスタンス中にそれ自体の測定を行う。
【００５４】
ＵＥは、いくつかの既知の探索アルゴリズムのいずれかを使用して隣接セルを発見する（判断ブロック８０１の「ＹＥＳ」経路）。この目的で利用される具体的な探索アルゴリズムは、本発明の範囲外である。
【００５５】
隣接セルが検出されると、その隣接セルから信号が受信される（ステップ８０３）。受信信号の特性が検出され（ステップ８０５）、この特性はその後、ブラインド検出プロセスにおいて、受信信号内の１つ又は複数のダウンリンク・スロットを識別するインジケータとして使用される（ステップ８０７）。検出される具体的な特性は、利用されるブラインド検出プロセスのタイプに依存する。以下、これらの側面についてより詳細に説明する。
【００５６】
１つ又は複数のダウンリンク・スロットが識別されると、それらのダウンリンク・スロット内の既知のパイロット信号を使用して、受信信号の信号電力（又はこれに類するもの）の測定値が取得される（ステップ８０９）。
【００５７】
図９は、本発明の様々な態様を実施するように適合されたＵＥ９００のブロック図を示す。図９に示される機能ブロックは、様々な等価な手法で組み合わせること及び再配置することが可能であり、これらの機能の多くは、１つ又は複数の適切にプログラムされたデジタル信号プロセッサによって実行され得ることが理解されるだろう。
【００５８】
図９に示されるように、ＵＥ９００は、受信機回路ならびに送信機回路９０２によって共用されるアンテナ９０１を有する。本発明の様々な態様は主に受信機の動作に関するものであるため、ここでは送信機回路９０２の詳細な説明は省略する。
【００５９】
スイッチ９０３が受信位置にあるときは、ＵＥ９００は、アンテナ９０１を介してダウンリンク無線信号を受信し、典型的には、受信された無線信号をフロント・エンド受信機（ＦｅＲＸ）９０５においてアナログ・ベースバンド信号にダウン・コンバートする。この目的で、フロント・エンド受信機９０５にはローカルで生成されるキャリア周波数ｆｃが供給される。ベースバンド信号は、帯域幅ＢＷ０を有するアナログ・フィルタ９０７によってスペクトル・シェーピングされ、フィルタ９０７によって生成されたシェーピング済みのベースバンド信号は、自動利得制御（ＡＧＣ）回路９０９によって利得補正される。次に、利得補正された信号は、アナログ・デジタル変換器（ＡＤＣ）９１１によってアナログ形式からデジタル形式に変換される。
【００６０】
デジタル化されたベースバンド信号は、ダウンリンク信号に含まれる同期信号又はシンボルの帯域幅に対応する帯域幅ＢＷｓｙｎｃを有するデジタル・フィルタ９１３によって更にスペクトル・シェーピングされる。フィルタ９１３によって生成されたシェーピング済みの信号は、セル探索ユニット９１５に提供され、セル探索ユニット９１５は、特定の通信システム（例えば３ＧＬＴＥ）用に指定された１つ又は複数のセル探索方法を実行する。典型的には、かかる方法は、先述したように受信信号内の所定の１次及び／又は２次同期チャネル（Ｐ／Ｓ‐ＳＣＨ）信号を検出するステップを含む。
【００６１】
デジタル化されたベースバンド信号は、ＡＤＣ９１１から帯域幅ＢＷ０を有するデジタル・フィルタ９１７にも提供され、フィルタリングされたデジタル・ベースバンド信号は、プロセッサ９１９に提供され、プロセッサ９１９は、ベースバンド信号の周波数領域（スペクトル）表現を生成する高速フーリエ変換（ＦＦＴ）又は他の適切なアルゴリズムを実行する。セル探索ユニット９１５は、候補セル毎、即ち信号電力（例えばＲＳＲＰ）の測定対象となるセル毎に、適切なタイミング信号をプロセッサ９１９と交換する。
【００６２】
周波数領域サンプルは、各サンプルと、（ａ）既知のダウンリンクＲＳ位置、又は（ｂ）以下で更に詳述する典型的なダウンリンク（サブキャリア）電力プロファイル又はＲＳＳＩと、を相関付ける相関付けユニット９２１にも供給される。次に、相関付けユニット９２１からの出力は、制御ユニット（ＣＵ）９２３に供給され、制御ユニット（ＣＵ）９２３は、相関付け結果に基づいてどのサブフレームがダウンリンクに該当し、どのサブフレームがアップリンクに該当するのかを検出する。次に、この情報（即ちダウンリンク・サブフレームの数及び位置）は、チャネル推定ユニット９２５（及びＦＦＴ９１９）に供給される。
【００６３】
セル探索ユニット９１５は、チャネル推定ユニット９２５にセル識別及び各候補セルｉのＲＳに対応するＲＥも提供する。チャネル推定ユニット９２５は、プロセッサ９１９からタイミング信号も受信し、どのサブフレームがダウンリンク・サブフレームであるのかに関する知識を使用して、いくつかのサブキャリアｊのそれぞれに関するチャネル推定値Ｈｉｊと、候補セルｉに関する信号電力の推定値（例えばＲＳＲＰ、Ｓｉ）と、を生成する。
【００６４】
チャネル推定ユニット９２５は、チャネル推定値Ｈｉｊをシンボル検出器９２７に提供する。その後、検出されたシンボルは、ＵＥ（図示せず）における後続の処理で利用することができる。チャネル推定ユニット９２５によって生成される電力推定値は、典型的にはＵＥにおける後続の信号処理でも使用される。
【００６５】
ブラインド・アップリンク／ダウンリンク検出は、いくつかの実施形態のうちの任意の実施形態を採用することができる。以下、これらについて説明する。
【００６６】
いくつかの実施形態の一態様では、周波数領域電力プロファイルは、ブラインド検出の基礎となる特性である。図１０は、ある点では、これらの実施形態に係るＵＥにおいて実行されるステップ／プロセスを示すフローチャートである。別の点では、図１０は、本明細書に記載される様々なプロセス／ステップを実行するように構成されたロジックを有するＵＥ１０００のブロック図と見なすこともできる。これらの実施形態では、２つの異なる手法が使用され得る。１つ目のより複雑でない手法は、受信されたサブフレームをＯＦＤＭシンボル毎の平均電力（総ＲＳＳＩ）と相関付けるものである。即ち、図７ｂに示されるように、各ＯＦＤＭシンボルの電力プロファイルが測定され（ステップ１００１）、公称（例えば典型的な）ダウンリンク電力プロファイルと相関付けられる（ステップ１００３）。この相関付けは、１つのサブフレーム全体で行うことができる。性能を改善するために、このプロファイルは、いくつかのサブフレームにわたって平均をとることができる（但し、必ずしもそうする必要はない）。その結果得られた相関値は、閾値と比較される（判断ブロック１００５）。この相関値が閾値を上回る場合は（判断ブロック１００５のＹＥＳ経路）、ダウンリンク・サブフレームが検出されたことになり、そうでない場合は（判断ブロック１００５のＮＯ経路）、アップリンク・サブフレームが検出されたことになる。閾値は、例えば同期サブフレーム（即ち、ＵＥにダウンリンク・サブフレームとして知られるサブフレーム）の電力プロファイルから導出することができる。後続の処理（図示せず）は、アップリンク・サブフレームが検出されたのかそれともダウンリンク・サブフレームが検出されたのかに応じて進められる。
【００６７】
同様に、ＯＦＤＭシンボルは、公称ダウンリンク電力プロファイルと相関付けられる代わりに、図７ｄに示したように公称（例えば典型的な）アップリンク電力プロファイルと相関付けられる。本例では、相関値が閾値を上回った場合は、アップリンク・サブフレームが検出されたことが指示される。そうでない場合は、サブフレームはダウンリンク・サブフレームに該当する。
【００６８】
一代替実施形態は、各サブキャリア全体で相関付けが行われるより複雑な変形例を含む。それ故、各ＯＦＤＭシンボルについてサブキャリア毎の電力が推定され、ここでは２つの次元、即ち時間及び周波数を有する典型的な電力プロファイルと相関付けられる。この場合も、上述したように、分析対象の信号がアップリンク・サブフレームに関連する信号であるのかそれともダウンリンク・サブフレームに関連する信号であるのかを判定するために、閾値と比較した相関付けが行われる。
【００６９】
いくつかの代替実施形態の一態様では、ＲＳを移送することが可能なＲＥがブラインド検出の基礎となる特性として働く。図１１は、ある点では、これらの実施形態に係るＵＥにおいて実行されるステップ／プロセスを示すフローチャートである。別の点では、図１１は、本明細書に記載される様々なプロセス／ステップを実行するように構成されたロジックを有するＵＥ１１００のブロック図と見なすこともできる。ＵＥ１１００は、この検出手法を使用して、ダウンリンク・サブフレームの場合はＲＳに相当するＲＥを（隣接セルのセルＩＤに対応するスクランブル・コードで）逆スクランブルする（ステップ１１０１）。次に、逆スクランブルされたＲＥは、公称ＲＳパターンと相関付けられる（ステップ１１０３）。次に、相関値と閾値の比較が行われる（判断ブロック１１０５）。相関値が閾値を上回る場合は（判断ブロック１１０５のＹＥＳ経路）、サブフレームはダウンリンク・サブフレームと見なされる。そうでない場合は（判断ブロック１１０５のＮＯ経路）、サブフレームはアップリンク・サブフレームと見なされる。後続の処理（図示せず）は、アップリンク・サブフレームが検出されたのかそれともダウンリンク・サブフレームが検出されたのかに応じて進められる。
【００７０】
いくつかの他の代替実施形態の一態様では、受信機のＡＧＣ設定がブラインド検出の基礎となる特性として働く。図１２は、ある点では、これらの実施形態に係るＵＥにおいて実行されるステップ／プロセスを示すフローチャートである。別の点では、図１２は、本明細書に記載される様々なプロセス／ステップを実行するように構成されたロジックを有するＵＥ１２００のブロック図と見なすこともできる。
【００７１】
これらの実施形態の動作の基礎となる原理は、例えばアップリンク伝送がまったく行われない結果として、又はＵＥ１２００から離れた位置に所在する伝送中のＵＥが信号受信（及び信号電力測定）を試行する故に、アップリンク・サブフレームを信号電力の低い信号で構成することが可能となることである。いずれの場合も、このようなサブフレーム内の受信信号電力は、ダウンリンク・サブフレームと比較して小さくなる。伝送中のＵＥが信号受信を試行中のＵＥ１２００に近い場合、入力信号は、ダウンリンク・サブフレームに関連する信号の強度と比べて非常に強くなる。ＵＥ１２００は、隣接セルを検出した後は、ダウンリンク・サブフレームの少なくとも一部（即ち、ＵＬ／ＤＬ構成に関わらずダウンリンク伝送に使用されるサブフレーム）を常に認識することになるので、未知のサブフレームのＡＧＣ設定と、既知のダウンリンク・サブフレームに関連するＡＧＣ設定とを比較することができる。この比較によって十分大きい差が存在することが明らかとなった場合は、アップリンク・サブフレームのインジケータと解釈することができ、そうでない場合は、未知のサブフレームをダウンリンク・サブフレームと見なすことができる。かかる情報は、いくつかの実施形態ではＵＬ／ＤＬサブフレーム構成の判定にも使用される可能性がある。
【００７２】
したがって、これらの実施形態によれば、ＵＥ１２００は、１つ又は複数の既知のダウンリンク・サブフレームのＡＧＣ設定を判定する（ステップ１２０１）。次に、「未知の」候補サブフレームのＡＧＣ設定と、１つ（又は複数）の既知のダウンリンク・サブフレームのＡＧＣ設定とが比較される（ステップ１２０３）。この比較によって大きい差が存在することが示された場合は（判断ブロック１２０５のＹＥＳ経路）、候補サブフレームはアップリンク・サブフレームと見なされる。そうでない場合は（判断ブロック１２０５のＮＯ経路）、候補サブフレームはダウンリンク・サブフレームと見なされる。例えば、ＡＧＣ設定の差が５倍（７ｄＢ）を超えるような場合は、ダウンリンク・サブフレームではなくアップリンクの存在を仮定することが妥当である。それ故、既知のダウンリンク・サブフレームのＡＧＣ設定をｘとしたときに、ＡＧＣ設定が０．２ｘを下回る又は５ｘを上回る場合は、アップリンク・サブフレームが検出されたものと見なすことができる。
【００７３】
後続の処理（図示せず）は、アップリンク・サブフレームが検出されたのかそれともダウンリンク・サブフレームが検出されたのかに応じて進められる。
【００７４】
上記では、本発明に係る諸実施形態の様々な態様をＴＤＤ隣接セルに関するダウンリンク・サブフレームの検出に関して説明してきた。しかしながら、上記のブラインド検出技法は、他のシナリオにも適用可能である。そのような１つのシナリオは、ダウンリンク・サブフレームの一部がブロードキャスト用に割り振られるＭＢＳＦＮ動作である。これらのダウンリンク・サブフレームは、通常のユニキャスト・サブフレームと比べて幾分異なる構造を有する。この差異は、２つの連続するスロット中にアンテナ・ポート４上で送信される例示的なＭＢＳＦＮリソース要素を例示する図１３に示されている。ＭＢＳＦＮ動作では、同期マルチ・セル・マルチキャスト／ブロードキャスト伝送がマルチパス・チャネル上で単一の伝送に見えるようになることを改めて確認しておく。より大きい伝搬遅延（即ち、ＵＥが最も近いＮｏｄｅＢからの送信だけでなく隣接するＮｏｄｅＢからの送信も受信する状況）に対処するために、拡張ＣＰが使用される。それ故、各スロットは、ユニキャスト動作では通常７つのＯＦＤＭシンボルが存在するが、６つのＯＦＤＭシンボルしか有さない。
【００７５】
ＭＢＳＦＮ伝送のコヒーレント復調に関するチャネル推定では、先述した「通常の」セル固有の基準信号（ＲＣＳ）を直接利用することはできない。というのも、これらの基準信号は、ＭＢＳＦＮを利用して伝送されるわけではなく、したがってアグリゲートされたＭＢＳＦＮチャネルに影響を及ぼさないためである。その代わりに、図１３に示されるように、追加的な基準シンボル（Ｒ４）がＭＢＳＦＮサブフレームに挿入される。これらの基準シンボルは、ＭＢＳＦＮを利用して伝送される。即ち、ＭＢＳＦＮ伝送に関与するすべてのセルから同一の基準シンボル（同じリソース要素内の同じ複素数値）が伝送される。したがって、これに対応して受信される基準信号をアグリゲートされたＭＢＳＦＮチャネルの推定に直接使用することが可能となり、その結果、ＭＢＳＦＮ伝送のコヒーレント復調が可能となる。
【００７６】
ダウンリンク共用チャネル（ＤＬ‐ＳＣＨ）伝送に関するダウンリンクＬ１／Ｌ２制御シグナリングは、ＭＢＳＦＮサブフレーム内で伝送する必要はないが、依然として、ＭＢＳＦＮサブフレーム内で伝送すべき他のダウンリンクＬ１／Ｌ２制御シグナリングが存在する可能性がある（例えばＵＬ‐ＳＣＨ伝送のスケジューリング許可）。その結果、ＭＢＳＦＮベースの基準信号と並行して、通常のセル固有の基準信号（ＲＣＳ）もＭＢＳＦＮサブフレーム内で伝送する必要が生じる。しかしながら、Ｌ１／Ｌ２制御シグナリングはサブフレームの最初の部分に限定されるので、図１３に示されるように、サブフレームの１番目のＯＦＤＭシンボル（送信アンテナが４つの場合は、更にサブフレームの２番目のＯＦＤＭシンボル）内のセル固有の基準シンボルだけがＭＢＳＦＮサブフレーム内で伝送される。
【００７７】
本構成の結果、ＭＢＳＦＮサブフレームに含まれるＲＳＲＰ測定に使用可能なＲＳの数は減少する（即ち、サブフレーム毎の１番目のＯＦＤＭシンボルで発見されるＲＳだけが含まれる）。セル固有の基準シンボルを有する２つの同期サブフレームがＭＢＳＦＮに常に存在するという知識を除いて、ＵＥは、隣接セル内の通常のサブフレーム及びＭＢＳＦＮサブフレームの正確な数及び位置の知識を有さない。このような不確実性は、隣接セルのセル固有の基準信号の電力測定を行いたいＵＥにとって問題となる。
【００７８】
本発明の諸態様は、上述した手法と同様の手法（例えば通常のＤＬサブフレームの場合のＲＳ位置との相関付け）を使用してどのサブフレームがＭＢＳＦＮサブフレームであり、どのサブフレームがＭＢＳＦＮサブフレームでないのかを検出することができる点で、この問題を解決する。したがって、ＲＳＲＰ測定は、検出された数の通常のサブフレームに適合させることができる。また、ＭＢＳＦＮ動作に関して、本発明の様々な態様は、ＬＴＥ  ＦＤＤモードとＴＤＤモードの両方に適用可能であることに留意していただきたい。
【００７９】
図１４は、ある点では、本発明の諸実施形態に係るＵＥにおいて実行される例示的なステップ／プロセスを示すフローチャートである。別の点では、図１４は、本明細書に記載される様々な機能を実行するように構成されたロジックを備えるＵＥ１４００のブロック図と見なすこともできる。ＵＥはまず、サービング・セルに接続され、ＴＤＤ又はＦＤＤ隣接セルの探索を行うものと仮定する。隣接セルは、周波数内（即ち、サービング・セルと同じキャリア周波数）で動作する可能性も、周波数間（即ち、サービング・セルによって使用されるキャリア周波数と異なるキャリア周波数）で動作する可能性もある。周波数間動作の場合は、ＵＥは、典型的にはサービング・セルのデータ受信が中断されている時間インスタンス中にそれ自体の測定を行う。
【００８０】
ＵＥは、いくつかの既知の探索アルゴリズムのいずれかを使用して隣接セルを発見する（判断ブロック１４０１の「ＹＥＳ」経路）。この目的で利用される具体的な探索アルゴリズムは、本発明の範囲外である。
【００８１】
隣接セルが検出されると、その隣接セルから信号が受信される（ステップ１４０３）。受信信号の特性が検出され（ステップ１４０５）、この特性はその後、ブラインド検出プロセスにおいて、受信信号内の１つ又は複数のダウンリンク・ユニキャスト・スロット（あるいはＭＢＳＦＮスロット）を識別するインジケータとして使用される（ステップ１４０７）。検出される具体的な特性は、利用されるブラインド検出プロセスのタイプに依存する。これらの側面については、上記で詳述したとおりである。
【００８２】
１つ又は複数のダウンリンク・ユニキャスト・スロットが識別されると、それらのダウンリンク・スロット内の既知のパイロット信号を使用して、受信信号の信号電力（又はこれに類するもの）の測定値が取得される（ステップ１４０９）。必ずしもすべてではないが、一部の実施形態では、ＲＳＲＰ推定においてＭＢＳＦＮサブフレームに由来するセル固有のＲＳも使用される。
【００８３】
以上、本発明を特定の実施形態に関して説明した。しかしながら、本発明は上述の実施形態と異なる特定の形態で実施することも可能であることが、当業者には容易に理解されるはずである。本明細書に記載される各実施形態は、単なる例示的なものにすぎず、決して限定的なものと解釈されるべきではない。本発明の範囲は、上記の説明ではなく添付の特許請求の範囲に示され、各請求項の範囲に含まれるすべての変形例及び均等物は、本発明の範囲に包含されるものとする。
【図１】
2011512077.tif 000003
【図２】
2011512077.tif 000004
【図３】
2011512077.tif 000005
【図４ａ】
2011512077.tif 000006
【図４ｂ】
2011512077.tif 000007
【図５】
2011512077.tif 000008
【図６ａ】
2011512077.tif 000009
【図６ｂ】
2011512077.tif 000010
【図７ａ】
2011512077.tif 000011
【図７ｂ】
2011512077.tif 000012
【図７ｃ】
2011512077.tif 000013
【図７ｄ】
2011512077.tif 000014
【図８】
2011512077.tif 000015
【図９】
2011512077.tif 000016
【図１０】
2011512077.tif 000017
【図１１】
2011512077.tif 000018
【図１２】
2011512077.tif 000019
【図１３】
2011512077.tif 000020
【図１４】
2011512077.tif 000021
【国際調査報告】
2011512077.tif 000022
2011512077.tif 000023